(57)【要約】【課題】本発明の目的は位置別に輝度を制御して表示品質を向上させることができるようにした液晶表示装置及びその駆動方法を提供することにある。【解決手段】本発明の実施例による液晶表示装置は液晶表示パネルと、前記液晶表示パネルに光を照射するための多数のランプと、前記液晶表示パネルの上に表示されるデータによって前記多数のランプをそれぞれの明るさを制御する制御器と、を具備して、前記制御器は前記液晶表示パネルの上で部分的に明るく表示されるべき第１領域の以外の第２領域の明るさが暗くなるように前記ランプを制御して前記第１領域の明るさを相対的に高めることを特徴とする。【選択図】図５
2005092184.tif 000002
【特許請求の範囲】
【請求項１】
液晶表示パネルと、前記液晶表示パネルに光を照射するための多数のランプと、前記液晶表示パネルの上に表示されるデータによって前記多数のランプのそれぞれの明るさを制御する制御器と、を具備して、前記制御器は前記液晶表示パネルの上で部分的に明るく表示されるべき第１領域以外の第２領域の明るさが暗くなるように前記ランプを制御して前記第１領域の明るさを相対的に高めることを特徴とする液晶表示装置。
【請求項２】
前記液晶表示パネルに供給されるデータを変調するためのデータ変調器を更に具備することを特徴とする請求項１記載の液晶表示装置。
【請求項３】
前記データ変調器は、前記データ値を変調して光透過率を調節することで同一のランプにより照射される前記液晶表示パネルの上の領域内での輝度差を可能にすることを特徴とする請求項２記載の液晶表示装置。
【請求項４】
前記ランプのそれぞれは前記液晶表示パネルの幅方向で分割されることを特徴とする請求項１記載の液晶表示装置。
【請求項５】
前記制御器はデータ入力を受けて前記液晶表示パネルの位置別の輝度を計算してその計算の結果により、前記ランプのそれぞれを独立的に制御することを特徴とする請求項１記載の液晶表示装置。
【請求項６】
液晶表示パネルの上で表示されるデータ入力を受ける段階と、前記データに基づいて前記液晶表示パネルの上で部分的に明るく表示されるべき第１領域と前記第１領域より低い明るさが表示されるべき第２領域を検出する段階と、前記第２領域の明るさが暗くなるように前記液晶表示パネルの上に光を照射するためのランプを制御して前記第１領域の明るさを相対的に高める段階と、を含むことを特徴とする液晶表示装置の駆動方法。
【請求項７】
前記液晶表示パネルに供給されるデータを変調する段階とを更に含むことを特徴とする請求項６記載の液晶表示装置の駆動方法。
【請求項８】
前記データを変調する段階は、前記データ値を変調して光透過率を調節することで同一のランプにより照射される前記液晶表示パネルの上の領域内での輝度差を可能にすることを特徴とする請求項７記載の液晶表示装置の駆動方法。
【請求項９】
前記ランプのそれぞれは前記液晶表示パネルの幅方向で分割されることを特徴とする請求項６記載の液晶表示装置の駆動方法。
【請求項１０】
前記第１領域の明るさを相対的に高める段階は、前記データ入力を受けて前記液晶表示パネルの位置別の輝度を計算してその計算結果によって前記ランプのそれぞれを独立的に制御することを特徴とする請求項６記載の液晶表示装置の駆動方法。
【発明の詳細な説明】
【技術分野】
【０００１】
本発明は液晶表示装置およびその駆動方法に関するもので、特に位置別に輝度を制御して表示品質を向上させることができるようにした液晶表示装置およびその駆動方法に関するものである。
【背景技術】
【０００２】
一般的に、液晶表示装置（Ｌｉｑｕｉｄ  Ｃｒｙｓｔａｌ  Ｄｉｓｐｌａｙ）は軽量、薄型、低消費電力駆動の特徴により、その応用範囲が漸次広くなっている傾向にある。このような、傾向により、液晶表示装置は事務自動化機器、オーディオ、ビデオ機器に利用されている。一方、液晶表示装置はマトリックス形態で配列された多数の制御用のスイッチに印可される映像信号により、光ビームの透過率が調節されて画面に望まれる画像を表示する。
【０００３】
一般的な液晶表示装置は液晶表示モジュールとこの液晶表示モジュールを駆動するための駆動回路部で構成される。
【０００４】
液晶表示モジュールは二枚のガラス基板の間に液晶セルがマトリックス形態で配列された液晶表示パネルと、この液晶表示パネルに光を照射するバックライト・ユニット（Ｂａｃｋ  Ｌｉｇｈｔ  Ｕｎｉｔ）で構成される。共に、液晶表示モジュールにはバックライト・ユニットから液晶表示パネル側に進行する光を垂直に起こせるための光学シートが配列される。このような液晶表示パネル、バックライト・ユニット及び光学シートは光の損失を防ぐために、一体化された形態で締結されるべきであると共に外部の衝撃によって損傷されないように保護されなければならない。このために、液晶表示パネルの一番縁を含みバックライト・ユニット及び光学シートを囲むように形成された液晶表示装置用のケースが設けられるようになった。このような液晶表示モジュールは自発光の表示装置ではないためにバックライトのような光源が必要になる。このような、液晶表示モジュールのバックライトは直下型方式とエッジ（ｅｄｇｅ）型の方式の二種類がある。
【０００５】
エッジ型の方式は平板の外郭に蛍光ランプを設置することで、蛍光ランプから透明の導光板を利用して液晶表示パネルの全体の面に光が入射される。直下型の方式は液晶表示パネルの背面に光源を置いて液晶表示パネルの前面を直接照光する点で、エッジ型の方式と比較して多数個の光源を配置し適度を高めることができ、発光面を広くすることができる長所がある。
【０００６】
図１は一般的な液晶表示モジュールを表す斜視図であり、図２は図１に図示された液晶表示モジュールをI-I’線に沿って切断した断面図である。
【０００７】
図１及び図２を参照すると、一般的の液晶表示モジュール１はサポート・メイン１４と、サポート・メイン１４の内部に積層されるバックライト・ユニット及び液晶表示パネル６と、液晶表示パネル６の一番縁とサポート・メイン１４の側面を囲むためのトップ・ケース２とを具備する。
【０００８】
液晶表示パネル６は上部基板５及び下部基板３の間に注入されて上部基板５と下部基板３の間の間隔を一定に維持させるための図示しないスペースとを具備する。このような、液晶表示パネル６の上部基板５には図示しないカラー・フィルター、共通電極、ブラック・マトリックスが形成される。また、液晶表示パネル６の下部基板３には図示しないデータラインとゲートラインの信号配線が形成されて、データラインとゲートラインの交差部に薄膜トランジスタ（Ｔｈｉｎ  Ｆｉｌｍ  Ｔｒａｎｓｉｓｔｏｒ；以下、“ＴＦＴ”という）が形成される。ＴＦＴはゲートラインからのスキャン信号（ゲートパルス）に応答してデータラインから液晶セルの側に電送されるデータ信号を切り換えるようになる。データラインとゲートラインの間の画素領域には画素電極が形成される。また、下部基板３の一側部にはデータラインとゲートラインのそれぞれに接続されるパッド領域が形成されて、このパッド領域にはＴＦＴに駆動信号を印可するためのドライバ集積回路が実際に載せられ、図示しないパッケージはドライバ集積回路からデータ信号をデータラインに供給する。また、スキャン信号をゲートラインに供給する。
【０００９】
このような、液晶表示パネル６の上部基板５には上部偏光シートが取りつけられて、下部基板３の背面には下部偏光シートが取りつけられる。
【００１０】
サポート・メイン１４はモールド物としてその内部の側壁面が階段型の段面に成形されてこの段面にはバックライト・ユニットと液晶表示パネル６が安着される安着部が形成される。このようなサポート・メイン１４の内部には液晶表示パネル６に光を照射させるバックライト・ユニットと液晶表示パネル６が積層される。
【００１１】
バックライト・ユニットは液晶表示パネル６に光を照射する多数のランプ２０と、多数のランプ２０が安着されて固定される多数のランプ・ホールダー２２と、多数のランプ２０から入射される光を拡散させて液晶表示パネル６に照射させるための拡散板１０と、多数のランプ２０の背面に配置されるランプ・ハウジング１８と、拡散板１０の上に積層される多数の光学シート８で構成される。
【００１２】
多数のランプ２０は主に冷陰極の蛍光ランプが使用されていて、多数のランプ２０のそれぞれはガラス管と、ガラス管の内部にある不活性気体と、ガラス管の両端部に設置される陰極及び陽極で構成される。ガラス管の内部に不活性気体が充填されていて、ガラス管の内壁には蛍光体が塗布されている。このような多数のランプ２０はＮ（Ｎは正の整数）個ずつに群れに分けてランプ・ホールダー２２に安着されて固定される。多数のランプ２０で発生される光は拡散板１０に入射される。
【００１３】
拡散板１０は多数のランプ２０から入射された光を液晶表示パネル６の正面方向に向かうようにして、光を拡散させ、広い範囲で均一の分布を有するようにして拡散された光を液晶表示パネル６に照射する。このような拡散板１０は透明の樹脂で構成されたフィルムの両面に光拡散用の部材をコーティングしたことを使用する。
【００１４】
ランプ・ハウジング１８は反射シート１２と、反射シート１２の背面に配置されるボトム・カバー１６で構成される。
【００１５】
反射シート１２は多数のランプ２０の背面に配置される。反射シート１２は光を反射させる材質で形成されてボトム・カバー１６と同様の形態でボトム・カバー１６の底面と重なる底面とボトム・カバー１６の傾斜面に対応して切曲される傾斜面とを具備する。このような、反射シート１２は図示しない接着両面テープにより、ボトム・カバー１６の底面及び傾斜面に取りつけられる。
【００１６】
反射シート１２は多数のランプ２０の背面及び側面の側に進行する光を液晶表示パネル６側に反射させて液晶表示パネル６に照射される光の効率を向上させる。
【００１７】
ボトム・カバー１６は底面と、底面から伸張される傾斜面とを具備する。即ち、ボトム・カバー１６の傾斜面が相互に段差になる。このようなボトム・カバー１６に反射シート１２が積層される。
【００１８】
拡散板１０を経由して出射された光は多数の光学シート８を経由して液晶表示パネル６に入射される。
【００１９】
拡散板１０から出射された光は拡散光に視野角が大きく形成される。液晶表示パネル６に入射される光は垂直になる際に光効率が大きくなる。このために、拡散板１０の上に光学シート８を配置させる。
【００２０】
多数の光学シート８は拡散板１０から出射される光を垂直に起こして光効率を向上させるようになる。これにより、拡散板１０で出射される光は多数の光学シート８を経由して液晶表示パネル６に入射されるようになる。
【００２１】
トップ・ケース２は直角に切曲された平面部と側面部を有する四角形態で製作される。このような、トップ・ケース２は液晶表示パネル６の縁側とサポート・メイン１４を囲むようになる。
【００２２】
このような液晶表示モジュールは輝度を向上させるために画面を多数のセグメント領域に分けて駆動させる。即ち、多数のランプ２０に対応になるように画面を多数のセグメント領域に分けて駆動させることである。このように画面を多数のセグメント領域に分けることによりセグメント領域が明るく表現される場合、セグメント領域に対応するランプ２０に明るい輝度値に相当するランプ駆動データを供給することで望む輝度が得られる。これを例を挙げて説明すると、図３に図示されるように画面を五つのセグメント領域ＳＧ１乃至ＳＧ５に分ける。各セグメント領域ＳＧ１乃至ＳＧ５は五つのランプ１乃至５と対応されている。この時、第２セグメント領域ＳＧ２を明るく表現して、残りのセグメント領域は第２セグメント領域ＳＧ２よりは暗く表現する場合、第２セグメント領域ＳＧ２に対応される第２ランプ２には明るい輝度に相当するランプ駆動データを供給して、残りの領域に対応されるランプには暗い輝度に相当するランプ駆動データを供給する。これにつれて、第２セグメント領域ＳＧ２に望む輝度を表現することができるようになる。
【００２３】
しかし、図４に図示されたように第２セグメント領域ＳＧ２の中で明るく表現されるべき領域Ａと暗く表現されるべき領域Ｂに分けられる場合、第２セグメント領域ＳＧ２に対応する第２ランプ２の輝度を増加させると、第２セグメント領域ＳＧ２のA領域の輝度は録に表示されるのであるが、B領域の輝度まで増加させるようになり、液晶表示装置の表示品質が低下される問題点がある。
【発明の開示】
【発明が解決しようとする課題】
【００２４】
従って、本発明の目的は位置別に輝度を制御して表示品質を向上させることができるようにした液晶表示装置及びその駆動方法を提供することにある。
【課題を解決するための手段】
【００２５】
前記目的を達成するために、本発明の実施例による液晶表示装置は液晶表示パネルと、前記液晶表示パネルに光を照射するための多数のランプと、前記液晶表示パネルの上に表示されるデータによって前記多数のランプのそれぞれの明るさを制御する制御器とを具備する。
【００２６】
前記制御器は、前記液晶表示パネルの上で部分的に明るく表示される第１領域以外の第２領域の明るさが暗くなるように前記ランプを制御して前記第１領域の明るさを相対的に高めることを特徴とする。
【００２７】
本発明の実施例による液晶表示装置は前記液晶表示パネルに供給されるデータを変調するためのデータ変調器とを更に具備する。
【００２８】
前記データ変調器は前記データ値を変調して光透過率を調節することで、同一のランプにより照射される前記液晶表示パネルの上の領域内で輝度差を可能にすることを特徴とする。
【００２９】
前記ランプのそれぞれは前記液晶表示パネルの幅方向で分割されることを特徴とする。
【００３０】
前記制御器はデータを入力受けて前記液晶表示パネルの位置別の輝度を計算してその計算の結果により、前記ランプのそれぞれを独立的に制御することを特徴とする。
【００３１】
本発明の実施例による液晶表示装置の駆動方法は液晶表示パネルの上で表示されるデータの入力を受ける段階と、前記データに基づいて前記液晶表示パネルの上で部分的に明るく表示されるべき第１領域と前記第１領域より低い明るさ表示されるべき第２領域を検出する段階と、前記第２領域の明るさが暗くなるように前記液晶表示パネルの上に光を照射するためのランプを制御して前記第１領域の明るさを相対的に高める段階とを含む。
【発明の効果】
【００３２】
上述したように、本発明の実施例による液晶表示装置及びその駆動方法は液晶表示パネルの上に分割された多数のセグメント領域の中の特定のセグメントの領域を明るく表現する場合、隣接したセグメント領域に供給される画素データを修正してより低い輝度値を有する画素データを供給することで輝度を向上させることができる。これと共に、液晶表示パネル上の特定のセグメントの領域の液晶の透過率を変換させて、望む領域だけで輝度を向上させることができない。
【発明を実施するための最良の形態】
【００３３】
以下、図５乃至図１２を参照して本発明の好ましい実施例について説明する。
【実施例】
【００３４】
図５は本発明の実施例による液晶表示装置を表す図面である。
【００３５】
図５を参照すると、本発明の実施例による液晶表示装置は液晶表示パネル８０と、液晶表示パネル８０のデータラインＤＬを駆動するためのデータ駆動部９０と、液晶表示パネル８０のゲートラインＧＬを駆動するためのゲート駆動部９２と、データ駆動部９２に入力されるデータを変調するためのデータ変調器９４と、外部から入力されるデータを分析及び修正するための映像分析部９６と、映像分析部９６から分析及び修正されたデータをもとで多数のランプ９０を駆動するためのランプ駆動部９８と、ランプ駆動部９８、ゲート駆動部９２、データ駆動部９０、データ変調器９４及び映像分析部９６を制御するためのタイミングコントローラ１００とを具備する。
【００３６】
液晶表示パネル８０は図６に図示されたところのように上部基板８２及び下部基板８４の間に注入されて上部基板８２と下部基板８４の間の間隔を一定に維持させるための図示しないスペースとを具備する。このような、液晶表示パネル８０の上部基板８２には図示しないカラー・フィルター、共通電極、ブラック・マトリックスが形成される。また、液晶表示パネル８０の下部基板８４には図示しないデータラインとゲートラインの信号配線が形成されて、データラインとゲートラインの交差部にＴＦＴが形成される。ＴＦＴはゲートラインからのスキャン信号（ゲートパルス）に応答してデータラインから液晶セルの側に電送されるデータ信号を切り換えるようになる。データラインとゲートラインの間の画素領域には画素電極が形成される。また、下部基板８４の一側部にはデータラインとゲートラインのそれぞれに接続されるパッド領域が形成されて、このパッド領域にはＴＦＴに駆動信号を印可するためのドライバ集積回路が実際に載せられた図示しないテープ・キャリア・パッケージ（Ｔａｐｅ  Ｃａｒｒｉｅｒ  Ｐａｃｋａｇｅ）が取り付けられる。テープ・キャリア・パッケージはドライバ集積回路からデータ信号をデータラインに供給する。また、スキャン信号をゲートラインに供給する。ここで、液晶層８６は画素電極と共通電極に印加される電圧差に応答して下部基板８４を経由して入射される光の透過率を調節するようになる。このような液晶表示パネル８０は多数のセグメント領域に分割されている。
【００３７】
タイミング・コントローラ１００は外部から入力された画素データＲ、Ｇ、Ｂをデータ変調装置９４を経てデータ駆動部９０に供給する。そして、外部から入力された画素データＲ、Ｇ、Ｂの明るい情報信号Ｙを映像分析部９６に供給する。また、タイミング・コントローラ１００は外部から入力された制御信号に応答してゲート駆動部９２、データ駆動部９０及び映像分析部９６のそれぞれを制御するためのゲート制御信号ＧＤＣ、データ制御信号ＤＤＣ及び映像分析制御信号ＡＤＣを発生する。ゲート制御信号ＧＤＣにはゲート・スタート・パルスＧＳＰ、ゲート・シフト・クロック信号ＧＳＣ、ゲート出力イネーブル信号ＧＯＥが含まれる。この中のゲート・スタート・パルスＧＳＰは一フレーム期間内に全画面が全面スキャニングされるようにゲートラインに供給される。データ制御信号ＤＤＣにはソース・スタート・パルスＳＳＰ、ソース・シフト・クロック信号ＳＳＣ、ソース出力イネーブル信号ＳＯＥ、極性制御信号ＰＯＬが含まれる。映像分析制御信号ＡＤＣはデータ駆動部９０に入力されるデータ制御信号ＤＤＣと同期するように入力される。
【００３８】
データ変調器９４は、図７に図示されたようにタイミング・コントローラ１００から入力された変調する前の画素データＲ、Ｇ、Ｂの入力を受ける。この際、入力されるデータが変調されるべき場合、ロム（ＲＯＭ）内に貯蔵されたルックアップテーブルに前もって設定された変調データを利用する。データ変調器９４により変調された変調データ（Ｍ（Ｒ、Ｇ、Ｂ））はデータ駆動部９０に入力される。そして、入力されるデータを変調させる必要のない場合、データ変調器９４は入力されるデータをバイパスさせる。このようなデータ変調器９４により変調された入力データは暗く表現されるべき特定の位置に形成された液晶に低い電圧を印加して透過率を低める。
【００３９】
ゲート駆動部９２はタイミング・コントローラ１００からのゲート制御信号ＧＤＣに応答してゲートラインＧＬ１乃至ＧＬｎに順次にゲート・ハイ電圧ＶＧＨを供給する。これにより、ゲート駆動部９２はゲートラインＧＬ１乃至ＧＬｎに接続された薄膜トランジスタＴＦＴがゲートラインＧＬ単位に駆動されるようにする。
【００４０】
データ駆動部９０はタイミング・コントローラ１００からのデータ制御信号ＤＤＣに応答して水平期間Ｈ１、Ｈ２、．．．毎に１水平ライン分ずつの画素信号をデータラインＤＬ１乃至ＤＬｍに供給する。特に、データ駆動部９０はタイミング・コントローラ１００からのデジタル画素データＲ、Ｇ、Ｂをガンマ電圧の発生部（図示しない）からのガンマ電圧を利用してアナログ画素信号に変換して供給する。
【００４１】
映像分析部９６はタイミング・コントローラ１００から入力される画素データＲ、Ｇ、Ｂの明るさ情報信号Ｙをもとに位置別の明るさを計算してランプ駆動制御信号ＬＤＣをランプ駆動部９８に供給するようになる。このような映像分析部９６はｉ（ｉは自然数）番目のセグメント領域が明るくてｉ番目のセグメントに隣接したセグメント領域が暗い場合、明るく表現されるｉ番目のセグメントの領域により、隣接したセグメント領域が影響を受けるようになるのでｉ番目のセグメント領域に隣接したセグメント領域に入力されるランプ駆動データを修正して供給する。この際に、タイミング・コントローラ１００から映像分析部９６に入力させる映像分析制御信号ＡＤＣはデータ駆動部９０に供給されるデータ制御信号ＤＤＣと同期される。
【００４２】
ランプ駆動部９８はタイミング・コントローラ１００の制御下に映像分析部９６で分析された位置別の明るさをもとに液晶表示パネル８０の上に分割された多数のセグメント領域のそれぞれに対応される多数のランプ７０を駆動させるようになる。
【００４３】
多数のランプ７０は主に冷陰極の蛍光ランプが使用されていて、多数のランプ７０のそれぞれはガラス管と、ガラス管の内部にある不活性気体と、ガラス管の両端段部に設置される陰極及び陽極で構成される。ガラス管の内部には不活性気体が充鎮されていて、ガラス管の内壁には蛍光体が塗布されている。このような多数のランプ７０はＮ（Ｎは正の整数）個ずつ群に分けてランプ・ホールダー（図示しない）に装着されて固定される。多数のランプ７０で発生される光は液晶表示パネル８０に入射される。このような多数のランプ７０は液晶表示パネル８０に分割されたそれぞれのセグメント領域に対応されて設置される。
【００４４】
このような液晶表示装置の駆動方法を図５及び図８を参照して説明すると、先に外部から画素データＲ、Ｇ、Ｂの入力受ける。このような画素データＲ、Ｇ、Ｂの明るさ情報Ｙが映像分析部９６に入力されて位置別の明るさが計算される。このように計算された位置別の明るさをもとにランプ駆動部９８は多数のランプ７０を駆動させるようになる。この際に、図８に図示されたように第３セグメント領域ＳＧ３が異なる領域に比べて輝度が高いと、即ち、第３セグメント領域ＳＧ３に対応する第３ランプ３に残りのランプより更に高い輝度にあたるランプ駆動データが供給されると、映像分析部９６は第３ランプ３と隣接した第２及び第４ランプ２、４に供給される元来のランプ駆動データを供給する。また、第３ランプ３の中でもB領域が暗く表現されるべき場合、入力されるB領域のデータはデータ変調器９４により元来のデータ値より透過率が低いデータに変調されてデータ駆動部９０に供給される。これにより、第３セグメント領域ＳＧ３のA領域は明るく表現されながらもB領域は暗く表現することができるようになる。
【００４５】
これを詳細に説明すると、第３セグメント領域ＳＧ３を明るく表現するために第３ランプ３が異なるランプに比べて高い輝度値を有するようにランプ駆動データを供給すると、図９に図示されたようにｃ位置で輝度が一番明るく、その次ｂ、ａ順の輝度を有する。この際、液晶表示パネル８０の通過の後の輝度はｃ位置での明るい輝度により、図１０に図示されたようにａ及びｂ位置で点線のように輝度が上昇される。従って、相対的にｃ位置の輝度が低下される。ここで、X軸は入力データを表わして、Y軸は液晶表示パネル８０の通過後の輝度を表わす。これにより、映像分析部９６で入力される画素データを分析して第３セグメント領域ＳＧ３に対応される第３ランプ３には元来のランプ駆動データが入力されるようにし、第３セグメント領域ＳＧ３と隣接されたセグメント領域に対応されるランプでは低い輝度値を有するランプ駆動データを修正して元来のランプ駆動データより更に低い輝度値を有するランプ駆動データを入力することで図１０に図示されたように実線のような輝度が得られる。この際に、第３セグメント領域ＳＧ３と隣接されたセグメント領域に対応されるランプには低い輝度値を有するランプ駆動データが供給されるので消費電力も減少させることができる。一方、第３セグメント領域ＳＧ３の中でＡ領域だけ明るく表現する場合、第３セグメント領域ＳＧ３に対応される第３ランプ３が異なるランプに比べて高い輝度値を有する画素データが供給されるのでA領域だけではなくＢ領域まで影響を及ぼす。これにより、図１１に図示された点線のように輝度が上昇されてB領域に供給される画素データを変調させる。このような変調により、B領域に供給される画素データの電圧値が低くなり、液晶の透過率がA領域より低くなる。従って、図１１に図示された実線のような輝度が得られる。これにより、液晶表示装置の表示品質を向上させることができるようになる。
【００４６】
一方、図１２に図示されたように一つのセグメント領域に対応されるランプを少なくとも二つ以上に分割して設置することで（即ち、多数のランプのそれぞれは液晶表示パネルの幅方向で少なくとも二つ以上に分割して設置することで）位置別に輝度を効果的に制御することができる。
【産業上の利用可能性】
【００４７】
上述したように、本発明の実施例による液晶表示装置及びその駆動方法は液晶表示パネルの上に分割された多数のセグメント領域の中の特定のセグメントの領域を明るく表現する場合、隣接したセグメント領域に供給される画素データを修正してより低い輝度値を有する画素データを供給することで輝度を向上させることができる。これと共に、液晶表示パネルの上の特定のセグメントの領域の液晶の透過率を変換させて、望む領域だけで輝度を向上させることができない。
【００４８】
以上説明した内容を通して当業者は本発明の技術思想を逸脱しない範囲で多様な変更及び修正が可能なことがわかる。従って、本発明の技術的な範囲は明細書の詳細な説明に記載された内容に限らず特許請求の範囲により定めなければならない。
【図面の簡単な説明】
【００４９】
【図１】一般的な液晶表示モジュールを表わした写視図である。
【図２】図１に図示された液晶表示モジュールをI−I’線に沿って切断した断面図である。
【図３】図１に図示された液晶表示パネルを多数のセグメント領域に分割して駆動する場合を詳細に表わす図面である。
【図４】図１に図示された液晶表示パネルを多数のセグメント領域に分割して駆動の際に問題点を図示した図面である。
【図５】本発明の実施例による液晶表示装置を表わす図面である。
【図６】図５に図示された液晶表示パネルを表わす図面である。
【図７】図５に図示されたデータ変調器を詳細に表わす図面である。
【図８】図５に図示された液晶表示パネルを多数のセグメント領域に分割して駆動する場合を詳細に表わす図面である。
【図９】図８に図示された液晶表示パネルの上に分割されたセグメント領域別に輝度を現すグラフである。
【図１０】図５に図示された多数のランプに入力データの供給する場合に液晶表示パネルの通過の後の輝度を表わすグラフである。
【図１１】図５に図示された液晶表示パネルに入力データの供給する場合に液晶表示パネルの通過の後の輝度を表わすグラフである。
【図１２】図５に図示された多数のランプをそれぞれのセグメント領域別に分割して設置する場合を表わす図面である。
【符号の説明】
【００５０】
１  液晶表示モジュール
２  トップ・ケース
３、８４  下部基板
５、８２  上部基板
６、８０  液晶表示パネル
８  光学シート
１０  拡散板
１２  反射シート
１４  サポート・メイン
１６  ボトム・カバー
１８  ランプ・ハウジング
２０、７０  ランプ
２２  ランプ・ホールダー
８６  液晶層
９０  データ駆動部
９２  ゲート駆動部
９４  データ変調器
９６  映像分析部
９８  ランプ駆動部
１００  タイミング・コントローラ
【図１】
2005092184.tif 000003
【図２】
2005092184.tif 000004
【図３】
2005092184.tif 000005
【図４】
2005092184.tif 000006
【図５】
2005092184.tif 000007
【図６】
2005092184.tif 000008
【図７】
2005092184.tif 000009
【図８】
2005092184.tif 000010
【図９】
2005092184.tif 000011
【図１０】
2005092184.tif 000012
【図１１】
2005092184.tif 000013
【図１２】
2005092184.tif 000014